(57)【要約】【課題】枠体を一旦固定した後でも枠体の取付位置の調整を簡易に行うことができるようにすることによって、枠体を高い寸法精度で設置可能であり、床との間で高い気密性や荷重に耐え得る十分な強度を得ることができるとともに、床面との段差を小さくして躓きを防止するとともに、施工時の作業性、取扱性を向上することができる床の開口部の枠体の取付構造を提供すること。【解決手段】床Ｆの開口部に配設する枠体１を、床Ｆ側の取付部、本実施例においては、根太Ｊに対してビス３によって取り付けられる枠体支持部材２を介して支持、固定するようにしたもので、ビス３の固定位置に対して、枠体支持部材２の取付位置を上下方向に変更して固定できる位置調整手段として、枠体支持部材２に形成した長孔からなるビス挿通孔２１を設ける。【選択図】図３
2020118002.tif 000002
【特許請求の範囲】
【請求項１】
床の開口部に配設する枠体を、床側の取付部に対してビスによって取り付けられる枠体支持部材を介して支持、固定するようにした床の開口部の枠体の取付構造において、前記ビスの固定位置に対して、枠体支持部材又は枠体の取付位置を上下方向に変更して固定できる位置調整手段を設けてなることを特徴とする床の開口部の枠体の取付構造。
【請求項２】
前記位置調整手段が、枠体支持部材に形成した長孔からなるビス挿通孔であることを特徴とする請求項１に記載の床の開口部の枠体の取付構造。
【請求項３】
前記位置調整手段が、枠体支持部材と枠体の上下方向の相対位置を変更して固定できるセレーション構造の固定部であることを特徴とする請求項１に記載の床の開口部の枠体の取付構造。
【請求項４】
前記位置調整手段が、枠体支持部材と枠体の上下方向の相対位置を変更して固定できるねじ構造の固定部であることを特徴とする請求項１に記載の床の開口部の枠体の取付構造。
【発明の詳細な説明】
【技術分野】
【０００１】
本発明は、床の開口部の枠体の取付構造に関し、特に、床下収納庫や点検口のために形成された床の開口部の枠体の取付構造に関するものである。
【背景技術】
【０００２】
従来、床下収納庫や点検口のために形成された床の開口部には、当該開口部を開閉可能に塞ぐ蓋体を、安定して支持、設置することができるように、枠体を取り付けるようにしている。
【０００３】
ところで、蓋体が設置された状態で室内と室外との通気があると冷暖房効率が低下することになるため、枠体には、床との間で高い気密性や荷重に耐え得る十分な強度が要求されるほか、床面との段差を小さくして躓きを防止するとともに、施工時の作業性、取扱性を向上させる必要がある。
【０００４】
これらの要請に応えるため、枠体は、床や床を支持する根太に取り付けるようにされている（例えば、特許文献１及び２参照。）。
【先行技術文献】
【特許文献】
【０００５】
【特許文献１】特開２００３−２１３９２３号公報
【特許文献２】特開２００８−２０８５６１号公報
【発明の概要】
【発明が解決しようとする課題】
【０００６】
ところで、床の開口部の枠体を、床や床を支持する根太に取り付けるようにした、従来の床の開口部の枠体の取付構造の場合、施工不良が見つかったときや床材の敷設作業に伴う枠体を一旦固定した後の枠体の取付位置の調整が行いにくいという問題があった。
【０００７】
本発明は、上記従来の床の開口部の枠体の取付構造の有する問題点に鑑み、枠体を一旦固定した後でも枠体の取付位置の調整を簡易に行うことができるようにすることによって、枠体を高い寸法精度で設置可能であり、床との間で高い気密性や荷重に耐え得る十分な強度を得ることができるとともに、床面との段差を小さくして躓きを防止するとともに、施工時の作業性、取扱性を向上することができる床の開口部の枠体の取付構造を提供することを目的とする。
【課題を解決するための手段】
【０００８】
上記目的を達成するため、本発明の床の開口部の枠体の取付構造は、床の開口部に配設する枠体を、床側の取付部に対してビスによって取り付けられる枠体支持部材を介して支持、固定するようにした床の開口部の枠体の取付構造において、前記ビスの固定位置に対して、枠体支持部材又は枠体の取付位置を上下方向に変更して固定できる位置調整手段を設けてなることを特徴とする。
【０００９】
この場合において、前記位置調整手段を、枠体支持部材に形成した長孔からなるビス挿通孔で構成することができる。
【００１０】
また、前記位置調整手段を、枠体支持部材と枠体の上下方向の相対位置を変更して固定できるセレーション構造の固定部で構成することができる。
【００１１】
また、前記位置調整手段を、枠体支持部材と枠体の上下方向の相対位置を変更して固定できるねじ構造の固定部で構成することができる。
【発明の効果】
【００１２】
本発明の床の開口部の枠体の取付構造によれば、床の開口部に配設する枠体を、床側の取付部に対してビスによって取り付けられる枠体支持部材を介して支持、固定するようにした床の開口部の枠体の取付構造において、前記ビスの固定位置に対して、枠体支持部材又は枠体の取付位置を上下方向に変更して固定できる位置調整手段を設けてなることから、枠体を一旦固定した後でも枠体の取付位置の調整を簡易に行うことができ、これによって、枠体を高い寸法精度で設置可能であり、床との間で高い気密性や荷重に耐え得る十分な強度を得ることができるとともに、床面との段差を小さくして躓きを防止するとともに、施工時の作業性、取扱性を向上することができる。
【図面の簡単な説明】
【００１３】
【図１】本発明の床の開口部の枠体の取付構造の第１実施例を示す縦断面図である。
【図２−１】本発明の床の開口部の枠体の取付構造の実施例を示し、（ａ）は第１実施例、（ｂ）は第２実施例、（ｃ）は第３実施例を示す要部の縦断面図である。
【図２−２】本発明の床の開口部の枠体の取付構造の実施例を示し、（ｄ）は第４実施例、（ｅ）は第５実施例を示す要部の縦断面図である。
【図３】同床の開口部の枠体の取付構造の第１実施例の要部の縦断面図である。
【図４】同床の開口部の枠体の取付構造の第１実施例の要部の正面図である。
【図５】同床の開口部の枠体の取付構造の第２実施例の要部の縦断面図である。
【図６】同床の開口部の枠体の取付構造の第２実施例の要部の正面図である。
【図７】同床の開口部の枠体の取付構造の第３実施例の要部の縦断面図である。
【図８】同床の開口部の枠体の取付構造の第３実施例の要部の正面図である。
【図９】同床の開口部の枠体の取付構造の第４実施例の要部の縦断面図である。
【図１０】同床の開口部の枠体の取付構造の第４実施例の要部の正面図である。
【図１１】同床の開口部の枠体の取付構造の第５実施例の要部の縦断面図である。
【図１２】同床の開口部の枠体の取付構造の第５実施例の要部の正面図である。
【発明を実施するための形態】
【００１４】
以下、本発明の床の開口部の枠体の取付構造の実施の形態を、図面に基づいて説明する。
【実施例１】
【００１５】
図１、図２−１（ａ）及び図３〜図４に、本発明の床の開口部の枠体の取付構造の第１実施例を示す。
この床の開口部の枠体の取付構造は、床Ｆの開口部に配設する枠体１を、床Ｆ側の取付部、本実施例においては、根太Ｊに対してビス３によって取り付けられる枠体支持部材２を介して支持、固定するようにしたもので、ビス３の固定位置に対して、枠体支持部材２（及び枠体支持部材２を介して枠体１）の取付位置を上下方向に変更して固定できる位置調整手段として、枠体支持部材２に形成した上下方向の長孔からなるビス挿通孔２１を設けてなるようにしている。
【００１６】
この場合において、枠体支持部材２は、枠体１に形成した、枠体支持部材２の設置部１１（以下、単に、「設置部１１」という。）に配置された状態で、上下方向は当接するように、水平方向は相対的な位置調整ができるようにされており、このため、設置部１１の水平方向の寸法を、枠体支持部材２の水平方向の寸法より、例えば、数ｍｍ〜２０ｍｍ程度大きく形成するようにしている。
【００１７】
設置部１１は、特に限定されるものではないが、通常、枠体支持部材２の１辺に所定間隔で３箇所、４辺合計で１２箇所、形成するようにしている（後述の実施例においても同様。）。
また、設置部１１は、下方に溝状の開口１１ａを備えるようにしている（後述の実施例においても同様。）。
【００１８】
そして、枠体支持部材２は、枠体１に形成した設置部１１に配置された状態で、上下方向は当接するようにしているため、枠体１の上下方向の位置を維持することに加えて、蓋体（図示省略）にかかる荷重を、外枠の鍔部とで分担して支持するようにしている。
また、枠体支持部材２は、設置部１１の開口１１ａに位置する操作片２６を備えており、これにより、枠体１を一旦固定した後に枠体１の取付位置の調整を行う場合に、操作片２６を介して枠体支持部材２を動作できるようにしている（後述の実施例においても同様。）。
【実施例２】
【００１９】
図２−１（ｂ）及び図５〜図６に、本発明の床の開口部の枠体の取付構造の第２実施例を示す。
この床の開口部の枠体の取付構造は、床Ｆの開口部に配設する枠体１を、床Ｆ側の取付部、本実施例においては、根太Ｊに対してビス３によって取り付けられる枠体支持部材２を介して支持、固定するようにしたもので、ビス３の固定位置に対して、枠体１の取付位置を上下方向に変更して固定できる位置調整手段として、枠体支持部材２に対する枠体１の上下方向の相対位置を変更して固定できるセレーション（鋸歯状）構造１２、２２の固定部４を設けてなるようにしている。
なお、セレーション（鋸歯状）構造１２、２２の歯数は限定されず、一方を爪状片（歯数：１）とすることもできる。
【００２０】
この場合において、セレーション（鋸歯状）構造１２、２２の固定部４は、枠体支持部材２に対する枠体１の上方向の相対位置の変更を規制する（戻り止め）形状をしているが、この規制を解除する操作片２３を枠体支持部材２に設けるようにしている。
【００２１】
枠体支持部材２は、枠体１に形成した設置部１１に配置された状態で、上下方向に相対的な位置調整ができるようにされており、このため、設置部１１の上下方向の寸法を、枠体支持部材２の上下方向の寸法より、例えば、数ｍｍ〜１０ｍｍ程度大きく形成するようにしている。
【００２２】
そして、枠体支持部材２は、セレーション（鋸歯状）構造１２、２２の固定部４によって、枠体１の上下方向の位置を維持するようにしており、蓋体（図示省略）にかかる荷重は、主として、外枠の鍔部で支持するようにしている。
【実施例３】
【００２３】
図２−１（ｃ）及び図７〜図８に、本発明の床の開口部の枠体の取付構造の第３実施例を示す。
この床の開口部の枠体の取付構造は、床Ｆの開口部に配設する枠体１を、床Ｆ側の取付部、本実施例においては、根太Ｊに対してビス３によって取り付けられる枠体支持部材２を介して支持、固定するようにしたもので、ビス３の固定位置に対して、枠体１の取付位置を上下方向に変更して固定できる位置調整手段として、枠体支持部材２に対する枠体１の上下方向の相対位置を変更して固定できるねじ構造の固定部５を設けてなるようにしている。
【００２４】
枠体支持部材２は、枠体１に形成した設置部１１に配置された状態で、上下方向及び水平方向に相対的な位置調整ができるようにされており、このため、設置部１１の上下方向及び水平方向の寸法を、枠体支持部材２の上下方向及び水平方向の寸法より、それぞれ、例えば、数ｍｍ〜１０ｍｍ及び数ｍｍ〜２０ｍｍ程度大きく形成するようにしている。
【００２５】
そして、枠体支持部材２は、ねじ構造の固定部５によって、枠体１の上下方向の位置を維持するようにしており、蓋体（図示省略）にかかる荷重は、主として、外枠の鍔部で支持するようにしている。
【実施例４】
【００２６】
図２−２（ｄ）及び図９〜図１０に、本発明の床の開口部の枠体の取付構造の第４実施例（第１実施例の変形例）を示す。
この床の開口部の枠体の取付構造は、床Ｆの開口部に配設する枠体１を、床Ｆ側の取付部、本実施例においては、根太Ｊに対してビス３によって取り付けられる枠体支持部材２を介して支持、固定するようにしたもので、ビス３の固定位置に対して、枠体支持部材２（及び枠体支持部材２を介して枠体１）の取付位置を上下方向に変更して固定できる位置調整手段として、枠体支持部材２に形成した水平方向の長孔からなるビス挿通孔２１を設けてなるようにしている。
【００２７】
この場合において、枠体支持部材２は、枠体１に水平方向に対して傾斜して形成した設置部１１に配置された状態で、上下方向は当接するように、水平方向は相対的な位置調整ができるようにされており、このため、設置部１１の水平方向の寸法を、枠体支持部材２の水平方向の寸法より、例えば、数ｍｍ〜２０ｍｍ程度大きく形成するようにしている。
【００２８】
そして、枠体支持部材２は、枠体１に形成した設置部１１に配置された状態で、上下方向は当接するようにしているため、枠体１の上下方向の位置を維持することに加えて、蓋体（図示省略）にかかる荷重を、外枠の鍔部とで分担して支持するようにしている。
【実施例５】
【００２９】
図２−２（ｅ）及び図１１〜図１２に、本発明の床の開口部の枠体の取付構造の第５実施例を示す。
この床の開口部の枠体の取付構造は、床Ｆの開口部に配設する枠体１を、床Ｆ側の取付部、本実施例においては、根太Ｊに対してビス３によって取り付けられる枠体支持部材２を介して支持、固定するようにしたもので、ビス３の固定位置に対して、枠体支持部材２（及び枠体支持部材２を介して枠体１）の取付位置を上下方向に変更して固定できる位置調整手段として、枠体支持部材２を中心側枠体支持部材２ａ及び外側枠体支持部材２ｂに分割して構成するようにしている。
【００３０】
この場合において、枠体支持部材２の中心側枠体支持部材２ａは、枠体支持部材２の外側枠体支持部材２ｂに水平方向に対して傾斜して形成した貫通孔２４に配置された状態で、上下方向は当接するように、水平方向は相対的な位置調整ができるようにされており、このため、貫通孔２４の水平方向の寸法を、中心側枠体支持部材２ａの水平方向の寸法より、例えば、数ｍｍ〜２０ｍｍ程度大きく形成するようにしている。
そして、枠体支持部材２の中心側枠体支持部材２ａ及び外側枠体支持部材２ｂには、中心側枠体支持部材２ａと外側枠体支持部材２ｂとの水平方向の相対的な位置調整をした後、その状態が維持されるように、山形歯１３及び爪状片２５からなる固定部６を形成するようにしている。
【００３１】
枠体支持部材２の外側枠体支持部材２ｂは、枠体１に形成した設置部１１に配置された状態で、上下方向は当接するように、水平方向は相対的な位置調整ができるようにされており、このため、設置部１１の水平方向の寸法を、外側枠体支持部材２ｂの水平方向の寸法より、例えば、数ｍｍ〜２０ｍｍ程度大きく形成するようにしている。
【００３２】
そして、枠体支持部材２の外側枠体支持部材２ｂは、枠体１に形成した設置部１１に配置された状態で、上下方向は当接するようにしているため、枠体１の上下方向の位置を維持することに加えて、蓋体（図示省略）にかかる荷重を、外枠の鍔部とで分担して支持するようにしている。
【００３３】
上記第１実施例〜第５実施例の床の開口部の枠体の取付構造によれば、床Ｆの開口部に配設する枠体１を、床側の取付部Ｊに対してビス３によって取り付けられる枠体支持部材２を介して支持、固定するようにするとともに、ビス３の固定位置に対して、枠体支持部材２又は枠体１の取付位置を上下方向に変更して固定できる位置調整手段を設けてなることから、枠体１を一旦固定した後でも枠体１の取付位置の調整を簡易に行うことができ、これによって、枠体１を高い寸法精度で設置可能であり、床Ｆとの間で高い気密性や荷重に耐え得る十分な強度を得ることができるとともに、床面との段差を小さくして躓きを防止するとともに、施工時の作業性、取扱性を向上することができる。
【００３４】
以上、本発明の床の開口部の枠体の取付構造について、その実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
具体的には、例えば、枠体支持部材２の１辺の中心に第１実施例のものを、その両側に実施例３のものを配置して、蓋体（図示省略）にかかる荷重の支持強度を高めながら、微調整を行うことができるようにしたり、枠体支持部材２の１辺の中心に第１実施例のものを、その両側に実施例４のものを設置部１１の水平方向に対する傾斜を逆に形成して配置して、蓋体（図示省略）にかかる荷重の支持強度を高めながら、枠体１の水平方向の移動を規制できるようにする等、適宜その構成を変更することができる。
【産業上の利用可能性】
【００３５】
本発明の床の開口部の枠体の取付構造は、枠体を一旦固定した後でも枠体の取付位置の調整を簡易に行うことができるようにすることによって、枠体を高い寸法精度で設置可能であり、床との間で高い気密性や荷重に耐え得る十分な強度を得ることができるとともに、床面との段差を小さくして躓きを防止するとともに、施工時の作業性、取扱性を向上することができるという特性を有していることから、床下収納庫や点検口のために形成された床の開口部の枠体の取付の用途に好適に用いることができる。
【符号の説明】
【００３６】
１  枠体
１１  設置部
１１ａ  開口
１２  セレーション（鋸歯状）構造
１３  山形歯
２  枠体支持部材
２ａ  中心側枠体支持部材
２ｂ  外側枠体支持部材
２１  ビス挿通孔
２２  セレーション（鋸歯状）構造
２３  操作片
２４  貫通孔
２５  爪状片
２６  操作片
３  ビス
４  固定部
５  固定部
６  固定部
Ｆ  床
Ｊ  根太（床側の取付部）
【図１】
2020118002.tif 000003
【図２−１】
2020118002.tif 000004
【図２−２】
2020118002.tif 000005
【図３】
2020118002.tif 000006
【図４】
2020118002.tif 000007
【図５】
2020118002.tif 000008
【図６】
2020118002.tif 000009
【図７】
2020118002.tif 000010
【図８】
2020118002.tif 000011
【図９】
2020118002.tif 000012
【図１０】
2020118002.tif 000013
【図１１】
2020118002.tif 000014
【図１２】
2020118002.tif 000015